(57)【要約】【課題】衣服に図柄やロゴマークなどを施す着色料そのものに、マイナスイオンを発生する物質を混入させ、その着色料で着色することにより、衣服に施した図柄やロゴマークなどからマイナスイオンを発生するようにし、さらに衣服の値段も高いものにならないようにし、またマイナスイオンを発生する物質を多量に混入させても、衣服に施した図柄やロゴマークなどが黒ずんでしまうことのない、色彩の豊かな衣服を提供する。【解決手段】着用者の肌に直に接触する衣服とし、その衣服の正面または背面を、トルマリン粉末を混入した着色料で着色したものとしている。【選択図】        図１
2004162196.tif 000002
【特許請求の範囲】
【請求項１】
着用者の肌に直に接触する衣服であって、その衣服の正面または背面を、トルマリン粉末を混入した着色料で着色したことを特徴とする衣服。
【請求項２】
着色面積が、衣服の正面または背面の表面積の約５％以上であることを特徴とする請求項１記載の衣服。
【請求項３】
着色料が、トルマリン粉末を約３．６重量％以上混入したものであることを特徴とする請求項１記載の衣服。
【請求項４】
トルマリン粉末の平均粉径が、約３００μｍ以下であることを特徴とする請求項１記載の衣服。
【発明の詳細な説明】
【０００１】
【発明の属する技術分野】
この発明は、Ｔシャツ、アンダーシャツ等の着用時に着用者の肌に直に接触する衣服に関するものである。
【０００２】
【従来の技術】
近年、マイナスイオンは精神を安定させ、呼吸器の機能を高めるなどの効果、すなわち人体に対するマイナスイオン効果なるものがあるといわれている。
【０００３】
人体を形成する細胞内にはマイナスイオンがあり、多くのマイナスイオンが存在する場合は、細胞膜をはじめとする細胞の働きが活発に行われるとされている。しかし、マイナスイオンが少なくなると新陳代謝が円滑に行われなくなるといわれ、これが高血圧、動脈硬化をはじめとする多くの病気の引き金になるとされている。マイナスイオンの作用として、血液の浄化作用、細胞の賦活作用、抵抗力の増加作用、自律神経の調整作用等があることが明らかとなっている。このような作用から、マイナスイオンは、鎮静、催眠、制汗、食欲増進、血圧降下、疲労防止、疲労回復などに有効であるといわれている。
【０００４】
そのため、マイナスイオンを効果的に発生させようとした導電性繊維生地や、マイナスイオンを効果的に発生させようとした生地のプリント方法が開示されている。前記導電性繊維生地としては、プラチナ電磁波繊維製の糸素材と銅イオン性繊維製の糸素材とを互いに絡ませながら織り込んで繊維生地素材としている（特許文献１参照）。さらに、前記生地のプリント方法としては、炭の微細粉末とバインダーを適量混入してなる塗布液を布地の任意部分に塗布した後、この塗布部分を所定温度に加熱するものとしている（特許文献２参照）。
【０００５】
【特許文献１】
登録実用新案公報第３０４２０９６号公報（第２頁左欄）
【特許文献２】
特開平１１−３２３７４７号公報（第２頁左欄）
【０００６】
【発明が解決しようとする課題】
しかしながら、上記したような導電性繊維生地を使用した衣服では、その衣服に図柄やロゴマークなどを施したい場合には、別途その図柄やロゴマークなどを着色料で着色しなければならず面倒であるという課題を有していた。さらに、上記したような導電性繊維生地は、製造にも手間がかかり、生地そのものの値段が高いため、その生地を使用した衣服も値段が高いものになるという課題を有していた。
【０００７】
さらに、前記生地のプリント方法により作製した生地は、マイナスイオンを発生させるために「炭の微細粉末」を混入してなるものとしているため、この「炭の微細粉末」をその生地に多量に混入させると、生地自体が黒ずんでしまい、色彩の豊かな衣服に使用するには好ましくないという課題を有していた。
【０００８】
そこで、この発明は、上記従来の課題を解決するものであり、衣服に図柄やロゴマークなどを施す着色料そのものに、マイナスイオンを発生する物質を混入させ、その着色料で着色することにより、衣服に施した図柄やロゴマークなどからマイナスイオンを発生するようにし、さらに衣服の値段も高いものにならないようにし、またマイナスイオンを発生する物質を多量に混入させても、衣服に施した図柄やロゴマークなどが黒ずんでしまうことのない、色彩の豊かな衣服を提供することを目的としてなされたものである。
【０００９】
【課題を解決するための手段】
そのため、この発明の衣服は、着用者の肌に直に接触する衣服とし、その衣服の正面または背面を、トルマリン粉末を混入した着色料で着色したものとしている。
【００１０】
そして、この発明の衣服は、着色面積が、衣服の正面または背面の表面積の約５％以上であるのが好ましい。
【００１１】
さらに、この発明の衣服は、着色料が、トルマリン粉末を約３．６重量％以上混入したものであるのが好ましい。
【００１２】
また、この発明の衣服は、トルマリン粉末の平均粉径が、約３００μｍ以下であるのが好ましい。
【００１３】
【発明の実施の形態】
以下、この発明の衣服の実施の形態を、図面に基づいて詳細に説明する。
【００１４】
図１は、この発明の衣服の一実施形態を示したものであり、Ｔシャツ１の背面１ａに、トルマリン粉末を混入した着色料２で「ＮＩＳＳＨＩＮＮ  ＫＯＧＥＩ」という英文字をかたどって着色したものとしている。
【００１５】
衣服としては、実施形態に示すＴシャツ１に限られないが、アンダーシャツ等の着用時に着用者の肌に直に接触するものとしている。これは、このような衣服であれば、着用時に着用者の身体から生じる汗等の水分が付着し、トルマリン粉末が湿気を帯び易く、後に述べるように良好なマイナスイオンの発生効果が期待できるからである。
【００１６】
トルマリン粉末としては、リチア電気石と呼ばれ、学名をエルバイト（Ｅｌｂａｉｔｅ）というトルマリンの粉末を使用した。トルマリンの種類としては、前記エルバイトの他に、鉄電気石と呼ばれ、学名をショール（Ｓｃｈｏｒｌ）というトルマリンや、苦土電気石と呼ばれ、学名をドラバイト（Ｄｒａｖｉｔｅ）というトルマリンが存在するが、これらのトルマリンは不透明であり、着色料２に多量に混入させた場合、着色料２そのものの色に影響を与える。しかし、この発明で使用したエルバイトは、透明であり、着色料２に多量に混入させた場合にも、着色料２そのものの色に影響を与えることなく、後に述べるように良好なマイナスイオンの発生が見られた。なお、この発明で使用したトルマリン（エルバイト）粉末の市販価格は１０ｇ当たり数円であった。
【００１７】
また、トルマリン粉末は、着色料２中での安定性、混和性等を考慮すれば、平均粒径を約３００μｍ以下にするのが好ましい。さらに、トルマリン粉末は、後に述べる着色料２に約３．６重量％以上混入しておれば、マイナスイオンの良好な発生効果が期待できる。
【００１８】
着色料２としては、染料、塗料等が使用されるが、トルマリン粉末を衣服に保持させ易くするため樹脂系のバインダーを混入したものを使用するのが好ましい。着色方法としては、印刷または塗布等によればよいが、トルマリン粉末を衣服に堅固に保持させ易くするため、着色した後に、その着色部分に熱加工を施したものとするのが好ましい。また、着色個所としては、衣服の正面の胸部、背面の肩部、袖部など何れの部分であってもよい。さらに、着色料２の衣服への着色面積は、衣服の正面または背面に着色した場合、その衣服の正面の表面積または背面の表面積の約５％以上であれば、後に述べるようにマイナスイオンの良好な発生効果が期待できる。
【００１９】
【実施例】
次に、この発明の衣服の実施例について詳細に説明する。
〔実施例１〕
水性濃縮塗料（株式会社松井色素化学工業所製の「バインダー２００ＤＨ」）１８０ｍｌに、平均粉径が３００μｍ以下のトルマリン粉末（エルバイト）を３．３ｇ、混入させ、前記図１に示したように、Ｔシャツ１の背面１ａに、この塗料で「ＮＩＳＳＨＩＮＮ  ＫＯＧＥＩ」という英文字をかたどって着色した。この場合、着色部分の面積は、Ｔシャツ１の背面１ａの表面積の約５％であった。
〔実施例２〕
水性濃縮塗料（株式会社松井色素化学工業所製の「バインダー２００ＤＨ」）１８０ｍｌに、平均粉径が３００μｍ以下のトルマリン粉末（エルバイト）を６．６ｇ、混入させ、前記図１に示したように、Ｔシャツ１の背面１ａに、この塗料で「ＮＩＳＳＨＩＮＮ  ＫＯＧＥＩ」という英文字をかたどって着色した。この場合、着色部分の面積は、Ｔシャツ１の背面１ａの表面積の約５％であった。
〔実施例３〕
水性濃縮塗料（株式会社松井色素化学工業所製の「バインダー２００ＤＨ」）１８０ｍｌに、平均粉径が３００μｍ以下のトルマリン粉末（エルバイト）を１０ｇ、混入させ、前記図１に示したように、Ｔシャツ１の背面１ａに、この塗料で「ＮＩＳＳＨＩＮＮ  ＫＯＧＥＩ」という英文字をかたどって着色した。この場合、着色部分の面積は、Ｔシャツ１の背面１ａの表面積の約５％であった。
【００２０】
前記実施例１〜３に示したＴシャツ１を着用した場合のそれぞれの着用場所のマイナスイオン濃度を測定した値を図２〜４に示す。図２〜４中の破線で示すグラフ値は、市販のＴシャツを着用した場合のその着用場所のマイナスイオン濃度を測定した値を示している。なお、マイナスイオン濃度の測定には、神戸イオン商会製のイオン測定器（ＫＳＴ−９００型）を使用した。また、着用場所の室温は２０°Ｃ、湿度は６３．４％であった。
【００２１】
その結果、図２に示す実施例１では、市販のＴシャツを着用した場合に比べ最高値で約１．３倍のマイナスイオン濃度となった。また、図３に示す実施例２では、市販のＴシャツを着用した場合に比べ最高値で約２倍のマイナスイオン濃度となった。さらに、図４に示す実施例３では、市販のＴシャツを着用した場合に比べ最高値で約３倍のマイナスイオン濃度となった。なお、前記実施例１〜３に示したＴシャツ１を着用せず、このＴシャツ１をイオン測定器の前に置いてその場のマイナスイオン濃度を測定したところ、図示していないが、着用した場合に比べマイナスイオン濃度の測定値は低下した。これは、Ｔシャツ１を着用することにより、着用者の身体から発生する水分によって、トルマリン粉末が湿気を帯びて活性化された結果、良好なマイナスイオン濃度が得られたと考えられる。
【００２２】
【発明の効果】
この発明の衣服は、以上に述べたように構成されているので、衣服に施した図柄やロゴマークなどからマイナスイオンが発生し、さらに衣服の値段も高いものにならず、またマイナスイオンを発生する物質を多量に混入させても、衣服に施した図柄やロゴマークなどが黒ずんでしまうことがなく、色彩の豊かなものになる。
【図面の簡単な説明】
【図１】この発明の衣服の背面の平面図である。
【図２】この発明の実施例１の衣服を着用した場合のその着用場所のマイナスイオン濃度を測定した値を示す図である。
【図３】この発明の実施例２の衣服を着用した場合のその着用場所のマイナスイオン濃度を測定した値を示す図である。
【図４】この発明の実施例３の衣服を着用した場合のその着用場所のマイナスイオン濃度を測定した値を示す図である。
【符号の説明】
１  Ｔシャツ
１ａ  Ｔシャツの背面
２  着色料
【図１】
2004162196.tif 000003
【図２】
2004162196.tif 000004
【図３】
2004162196.tif 000005
【図４】
2004162196.tif 000006